(57)【要約】      （修正有）【課題】対象物に並んで配置した複数の発光装置を制御するための回路装置を提供する。【解決手段】対象物に埋め込まれた防水筐体１２、モーション起動スイッチ１４、コントローラ１６、およびバッテリ１８を備えている。モーション起動スイッチ１４は、筐体１２内に取り付けられて、対象物の動きに応答してコントローラ１６をトリガーする。さらに、コントローラ１６は、筐体１２内に取り付けられ、モーション起動スイッチ１４に電気的に接続されるとともに、発光装置２０にも電気的にそれぞれ接続されて、モーション起動スイッチ１４によってトリガーされた際に発光装置２０を駆動して所定の方法で点灯させる。さらに、バッテリ１８は、筐体１２内に取り付けられて、回路に電力を供給する。【選択図】図１Ａ
0003193484.tif 000002
【実用新案登録請求の範囲】
【請求項１】
対象物に配置された複数の発光装置を制御するための回路であって、
前記対象物に埋め込まれた防水筐体；
前記筐体内に取り付けられて、前記対象物の動きに応答してコントローラをトリガーするためのモーション起動スイッチ；
前記筐体内に取り付けられ、前記モーション起動スイッチに電気的に接続されるとともに、前記発光装置にも電気的にそれぞれ接続されて、前記モーション起動スイッチによってトリガーされた際に前記発光装置を駆動して所定の方法で点灯させるためのコントローラ；および
前記筐体内に取り付けられて、前記回路に電力を供給するためのバッテリ；
を備える回路において、
前記所定の方法は、前記発光装置が最初に別々に順に点灯したあとに、逆に点灯し、その後、同時にＮ回点滅するという方法であり、Ｎは自然数である、
回路。
【請求項２】
前記防水筐体は、前記モーション起動スイッチ、前記コントローラ、および前記バッテリを取り付けるために成形される、請求項１に記載の回路。
【請求項３】
前記発光装置は、少なくとも３つの発光ダイオードを備える、請求項１に記載の回路。
【請求項４】
前記コントローラは、正極、負極およびワンショットの電極を備え、前記正極は、各発光装置のアノードおよび所定の電圧源に電気的に接続し、前記負極はアースに連結し、前記ワンショットの電極は、各発光装置のカソードに連結し、ワンショットのボタンは、前記ワンショットの電極と前記負極との間に連結している、請求項１に記載の回路。
【請求項５】
前記コントローラは、複数のワイヤによって前記発光装置に電気的に接続し、前記複数のワイヤが貫通している前記筐体の部分は、樹脂またはプラスチック材料でシールされていることにより、前記回路は前記筐体がシームレスであるが故に酸化することがない、請求項１に記載の回路。
【請求項６】
対象物に配置された複数の発光装置を制御するための回路であって、
前記対象物に埋め込まれた防水筐体；
前記筐体内に取り付けられて、前記対象物の動きに応答してコントローラをトリガーするためのモーション起動スイッチ；
前記筐体内に取り付けられ、前記モーション起動スイッチに電気的に接続されるとともに、前記発光装置にも電気的にそれぞれ接続されて、前記モーション起動スイッチによってトリガーされた際に前記発光装置を駆動して所定の方法で点灯させるためのコントローラ；および
前記筐体内に取り付けられて、前記回路に電力を供給するためのバッテリ；
を備える回路において、
前記所定の方法は、前記発光装置が最初に別々に順に明るさを落としながら点灯したあと、同時にＮ回点滅するという方法であり、Ｎは自然数である、
回路。
【請求項７】
前記防水筐体は、前記モーション起動スイッチ、前記コントローラ、および前記バッテリを取り付けるために成形される、請求項６に記載の回路。
【請求項８】
前記発光装置は、少なくとも３つの発光ダイオードを備える、請求項７に記載の回路。
【請求項９】
前記コントローラは、正極、負極およびワンショットの電極を備え、前記正極は、各発光装置のアノードおよび所定の電圧源に電気的に接続し、前記負極はアースに連結し、前記ワンショットの電極は、各発光装置のカソードに連結し、ワンショットのボタンは、前記ワンショットの電極と前記負極との間に連結している、請求項６に記載の回路。
【請求項１０】
前記コントローラは、複数のワイヤによって前記発光装置に電気的に接続し、前記複数のワイヤが貫通している前記筐体の部分は、樹脂またはプラスチック材料でシールされていることにより、前記回路は前記筐体がシームレスであるが故に酸化することがない、請求項６に記載の回路。
【請求項１１】
対象物に配置された複数の発光装置を制御するための回路であって、
前記対象物に埋め込まれた防水筐体；
前記筐体内に取り付けられて、前記対象物の動きに応答してコントローラをトリガーするためのモーション起動スイッチ；
前記筐体内に取り付けられ、前記モーション起動スイッチに電気的に接続されるとともに、前記発光装置にも電気的にそれぞれ接続されて、前記モーション起動スイッチによってトリガーされた際に前記発光装置を駆動して所定の方法で点灯させるためのコントローラ；および
前記筐体内に取り付けられて、前記回路に電力を供給するためのバッテリ；
を備える回路において、
前記所定の方法は、前記発光装置が最初に別々に順に点灯したあと、同時にＮ回点滅するという方法であり、Ｎは自然数である、
回路。
【考案の詳細な説明】
【技術分野】
【０００１】
本考案は、全体的に回路装置に関し、さらに詳細には、対象物に並んで配置した複数の発光装置を制御するための回路装置に関する。
【背景技術】
【０００２】
夜の照明が乏しいと、夜の活動が妨げられる。識別しにくいという問題および安全性という問題がある可能性がある。夜にジョギングやサイクリングをしている人は、照明が不十分なために自動車に跳ねられるおそれがある。開けた場所でのボール遊びは、外灯が十分強くない場合は夜にやめなければならいことがある。したがって、安全性および夜の活動を難なく行うことを促進する手段を見つける必要がある。
【０００３】
前述した安全性の理由から、点滅装置を備えた履物が市販されている。このような履物は通常、発光ダイオード（ＬＥＤ）など少なくとも１つの光源、バッテリなどの電源、およびバッテリを光源に接続してこの光源を照明するためのスイッチを備えている。
【０００４】
また、スイッチは、例えば米国特許第４，１５８，９２２号明細書（特許文献１）に開示されているような単純な手動スイッチであってよい。スイッチは、米国特許第４，８４８，００９号明細書（特許文献２）に開示されているように、履物が動いている間に水銀球が１対の電気接触点の間の導管に沿って行き来するという水銀スイッチであってよい。スイッチは、例えば米国特許第５，２８５，５８６号明細書（特許文献３）に開示されているように、着用者の体重がスイッチにかかると応答して開閉する圧力応答スイッチであってよい。スイッチは、例えば米国特許第５，４０８，７６４号明細書（特許文献４）に示されているように、コイル形態の片持ちバネが前後に揺らいで電気端末との接触を達成、中断するというバネスイッチであってよい。
【０００５】
さらに、バッテリの寿命を延ばし、かつより魅力的で人目を引くとともにより安全なディスプレイを提供するためには、スイッチが閉じている間に連続的に照明することを維持するよりも、電灯の点滅のオンおよびオフを起こすことが望まれる。ＬＥＤから人目を引く点滅パターンが表示できれば、このような点滅は有益かつ魅力的であろう。
【０００６】
さらに、前述の装置を水および塵から防護するとともに、これによってそのような装置の寿命を長くするために、バッテリのシステムインパッケージ、応答スイッチ、およびＬＥＤの制御回路も望まれる。
【先行技術文献】
【特許文献】
【０００７】
【特許文献１】米国特許第４，１５８，９２２号明細書
【特許文献２】米国特許第４，８４８，００９号明細書
【特許文献３】米国特許第５，２８５，５８６号明細書
【特許文献４】米国特許第５，４０８，７６４号明細書
【考案の概要】
【考案が解決しようとする課題】
【０００８】
したがって、本考案の態様は、回路を提供することであり、さらに詳細には、対象物に所定の並びで配置した複数の発光装置を制御するための回路を提供することである。さらに、本考案の回路は、小型であり、エネルギーを節約する方法で強力な照明を提供する。
【課題を解決するための手段】
【０００９】
本考案の好適な実施形態の回路は、筐体、モーション起動スイッチ、コントローラ、複数のＬＥＤ、およびバッテリを備えている。
【００１０】
筐体は対象物に埋め込まれるのに対し、モーション起動スイッチは筐体内に取り付けられて、対象物の動きに応答してコントローラをトリガーする。また、コントローラは、筐体内に取り付けられ、モーション起動スイッチおよび発光装置それぞれに電気的に接続され、モーション起動スイッチによってトリガーされると、発光装置を駆動して所定の方法で点灯させる。さらに、バッテリは、筐体内に取り付けられて、前記回路に電力を供給する。１つの例では、所定の方法は、発光装置が最初に別々に順に点灯したあとに、同時にＮ回点滅するという方法であり、Ｎは自然数である。もう１つの例では、所定の方法は、発光装置が最初に別々に順に点灯したあと、逆に点灯し、その後、同時にＮ回点滅するという方法であり、Ｎは自然数である。もう１つの例では、他の所定の方法は、発光装置が最初に別々に順に明るさを落としながら点灯したあと、同時にＮ回点滅するという方法であり、Ｎは自然数である。
【００１１】
さらに、前述の装置を水および塵から防護するとともに、これによってそのような装置の寿命を長くするために、バッテリ、モーション起動スイッチ、バッテリ、およびＬＥＤのコントローラをすべて、射出成形で形成した筐体にパッケージングすることが望まれる。
【００１２】
本考案の目的は、好適な実施形態についての以下の詳細な説明文を読んだあと、当業者にはおそらく明らかになると思われ、この好適な実施形態を様々な図に示している。
【図面の簡単な説明】
【００１３】
【図１Ａ】本考案の実施形態の立面図である。
【図１Ｂ】本考案の実施形態の立面図である。
【図２】本考案によるコントローラの構成を示す図である。
【図３】本考案の実施形態を示す図である。
【図４Ａ】本考案のもう１つの実施形態の動作を示す概略図である。
【図４Ｂ】本考案のもう１つの実施形態の動作を示す概略図である。
【図４Ｃ】本考案のもう１つの実施形態の動作を示す概略図である。
【図４Ｄ】本考案のもう１つの実施形態の動作を示す概略図である。
【図４Ｅ】本考案のもう１つの実施形態の動作を示す概略図である。
【図４Ｆ】本考案のもう１つの実施形態の動作を示す概略図である。
【図４Ｇ】本考案のもう１つの実施形態の動作を示す概略図である。
【考案を実施するための形態】
【００１４】
図１Ａを参照されたい。図１Ａは、本考案の実施形態の立面図を示している。好適な実施形態による、対象物（図示せず）に並んで配置した複数の発光装置２０を制御するための回路１は、筐体１２、モーション起動スイッチ１４、コントローラ１６、およびバッテリ１８を備えている。
【００１５】
本考案によれば、筐体１２は、対象物に埋め込まれる。さらに、モーション起動スイッチ１４は、筐体１２内に取り付けられて、対象物の振動などの動きに応答してコントローラ１６をトリガーする。さらに、コントローラ１６は、筐体１２内に取り付けられ、モーション起動スイッチ１４および発光装置２０それぞれに電気的に接続され、モーション起動スイッチ１４によってトリガーされると、発光装置２０を駆動して所定の方法で点灯させる。１つの例では、発光装置２０は、点滅する際に人目を引くパターンを生成できる少なくとも３つのＬＥＤを備えている。また、バッテリ１８は、筐体１２内にも取り付けられて回路１に電力を供給する。実際、各々の発光装置は発光ダイオードである。
【００１６】
実際、筐体は、回路１を水および塵から防護することができ、これによってそのような回路の寿命が長くなる。筐体の一例が、射出成形で形成された樹脂またはプラスチック材料であり、このような成形筐体は防水になる。なぜなら、この筐体には、モーション起動スイッチ１４、コントローラ１６、およびバッテリ１８を一緒に密にパッケージングするからである。さらに、回路１は、成形筐体であるが故に酸化することもない。
【００１７】
図１Ｂを参照されたい。図１Ｂは、本考案のもう１つの実施形態の立面図を示している。この実施形態では、防水筐体１２のもう１つの例が、超音波またはレーザ光を用いて上プラスチックカバー１２２をプラスチック容器１２４と合体させることである。プラスチック容器１２４にモーション起動スイッチ１４、コントローラ１６、およびバッテリ１８を収容したあと、超音波またはレーザ光を用いて上プラスチックカバー１２２をプラスチック容器１２４の周囲に合体させる。上プラスチックカバー１２２がプラスチック容器１２４に合体するため、筐体１２は防水である。発光装置２０に接続するワイヤを収容する防水筐体１２の孔は、樹脂またはその他のプラスチック材料でシールされてよい。
【００１８】
本考案のコントローラ１６の構成を示す図２を参照しつつ、コントローラ１６の設計および特徴を以下に要約する。図２において、略字Ｐは正極を指し、Ｎは負極を指し、ＯＳはワンショットのボタンを指す。作動電圧は、１．３５〜５．０Ｖ  ＤＣの範囲内であるのに対し、最小出力電流は３０ｍＡ、電圧は３Ｖ、かつ静電気は１ｕＡ未満である。
【００１９】
一実施形態では、所定の方法は、コントローラ１６が発光装置２０を駆動し、２０ａから２０ｄの順序で別々に順に点灯したあと、同時にＮ回点滅させるという方法であり、Ｎは自然数である。つまり、発光装置２０ａが最初に点灯したあとに発光装置２０ａが消え、発光装置２０ｂが点灯したあとに発光装置２０ｂが消え、発光装置２０ｃが点灯したあとに発光装置２０ｃが消え、発光装置２０ｄが点灯したあとに発光装置２０ｄが消え、最後に発光装置２０ａから２０ｄが同時Ｎ回、例えば３回点滅する。
【００２０】
一実施形態では、所定の方法は、コントローラ１６が発光装置２０を駆動し、２０ａから２０ｄの順序で別々に順に点灯したあと、２０ｄから２０ａという逆の順序で点灯し、その後同時にＮ回点滅させるという方法であり、Ｎは自然数である。つまり、発光装置２０ａが最初に点灯したあとに発光装置２０ａが消え、発光装置２０ｂが点灯したあとに発光装置２０ｂが消え、発光装置２０ｃが点灯したあとに発光装置２０ｃが消え、発光装置２０ｄが点灯したあとに発光装置２０ｄが消え、発光装置２０ｃが点灯したあとに発光装置２０ｃが消え、発光装置２０ｂが点灯したあとに発光装置２０ｂが消え、発光装置２０ａが点灯し、最後に発光装置２０ａから２０ｄが同時にＮ回、例えば３回点滅する。
【００２１】
もう１つの実施形態では、所定の方法は、コントローラ１６が発光装置２０を駆動し、２０ａから２０ｄを１つずつ点滅させたあと、同時にＮ回点滅させるという方法であり、Ｎは自然数である。つまり、発光装置２０ａが最初に点灯したあと、発光装置２０ａがまだ点灯している間に発光装置２０ｂが点灯し、その後、発光装置２０ａおよび２０ｂがまだ点灯している間に発光装置２０ｃが点灯し、その後、発光装置２０ａ、２０ｂ、および２０ｃがまだ点灯している間に発光装置２０ｄが点灯し、その後、発光装置２０ａから２０ｄが同時にＮ回、例えば３回点滅する。
【００２２】
もう１つの実施形態では、所定の方法は、コントローラ１６が発光装置２０を駆動し、２０ａから２０ｄを１つずつ点滅させたあと、２０ｄから２０ａを１つずつ逆に点滅させ、その後同時にＮ回点滅させるという方法であり、Ｎは自然数である。つまり、発光装置２０ａが最初に点灯したあと、発光装置２０ａがまだ点灯している間に発光装置２０ｂが点灯し、その後、発光装置２０ａおよび２０ｂがまだ点灯している間に発光装置２０ｃが点灯し、その後、発光装置２０ａ、２０ｂ、および２０ｃがまだ点灯している間に発光装置２０ｄが点灯し、その後、発光装置２０ａ、２０ｂ、および２０ｃが消えている間に発光装置２０ｄが点灯し、その後、発光装置２０ｄがまだ点灯している間に発光装置２０ｃが点灯し、その後、発光装置２０ｄおよび２０ｃがまだ点灯している間に発光装置２０ｂが点灯し、その後、発光装置２０ｄ、２０ｃ、および２０ｂがまだ点灯している間に発光装置２０ａが点灯し、最後に発光装置２０ａから２０ｄまでが同時にＮ回、例えば３回点滅する。
【００２３】
もう１つの実施形態では、図２および図４Ａ、図４Ｂ、図４Ｃ、図４Ｄ、図４Ｅ、図４Ｆ、図４Ｇに示したとおりである。図４Ａ、図４Ｂ、図４Ｃ、図４Ｄ、図４Ｅ、図４Ｆ、図４Ｇは、本考案のもう１つの実施形態の動作を示す概略図である。所定の方法は、コントローラ１６が発光装置２０を駆動し、２０ａから２０ｄの順序で明るさを落としながら別々に順に点灯したあと、同時にＮ回点滅させるという方法であり、Ｎは自然数である。つまり、図４Ａに示したように発光装置２０ａが最初に１００％の明るさで点灯し、その後、図４Ｂに示したように発光装置２０ａが６０％の明るさに落ちて発光装置２０ｂが１００％の明るさで点灯し、その後、図４Ｃに示したように発光装置２０ａおよび２０ｂが２０％および６０％の明るさに落ちて発光装置２０ｃが１００％の明るさで点灯し、その後、図４Ｄに示したように発光装置２０ａが消えて発光装置２０ｂおよび２０ｃが２０％および６０％の明るさに落ちて発光装置２０ｄが１００％の明るさで点灯し、その後、図４Ｅに示したように発光装置２０ｂが消えて発光装置２０ｃおよび２０ｄが２０％および６０％の明るさに落ち、その後、図４Ｆに示したように発光装置２０ｃが消えて発光装置２０ｄが２０％の明るさに落ち、その後、図４Ｇに示したように発光装置２０ｄが消え、最後に発光装置２０ａから２０ｄが同時にＮ回、例えば３回点滅するが、これは図示していない。
【００２４】
１つの実施形態では、図３に示したように、本考案の対象物は、スポーツシューズ３である。発光装置２０は、ソール３２のヒール部３２２に配置されるのに対し、本考案の筐体１２は、背部３４に配置される。着用者が歩くか走ると、モーション起動スイッチがコントローラをトリガーし、発光装置２０を駆動して、前述した方法などの所定の方法で点灯／点滅させる。さらに、発光装置２０が点灯または点滅することで、着用者が夜に歩くか走ると、強く安全な照明が提供される。また、本考案の対象物は、カジュアルシューズまたはフォーマルシューズ、サンダル、およびブーツなど、これ以外の靴；ジャケット、レインコート、およびパンツなどの衣類；ハンドバッグ、リュックサック、ベルト、腕時計、および帽子などの付属品であってよい。
【００２５】
当然ながら、本考案の回路は、小型でエネルギー節約型であり、多くの様々な対象物および物品への使用に適応させて、順に点灯／点滅するより広い領域を提供し、同時に２回以上点滅させることができる。さらに、本考案の回路を複数の対象物に適用して、夜の活動向けに強い照明を提供することができる。
【００２６】
本考案について、本考案の好適な実施形態を参照して説明し記載してきたが、本考案は当然そのような実施形態の詳細に限定されるものではなく、添付の請求項の範囲内であるかぎり数々の修正が可能であることは理解されるべきである。
【図１Ａ】
0003193484.tif 000003
【図１Ｂ】
0003193484.tif 000004
【図２】
0003193484.tif 000005
【図３】
0003193484.tif 000006
【図４Ａ】
0003193484.tif 000007
【図４Ｂ】
0003193484.tif 000008
【図４Ｃ】
0003193484.tif 000009
【図４Ｄ】
0003193484.tif 000010
【図４Ｅ】
0003193484.tif 000011
【図４Ｆ】
0003193484.tif 000012
【図４Ｇ】
0003193484.tif 000013
【手続補正書】
【提出日】平成26年7月30日(2014.7.30)
【手続補正１】
【補正対象書類名】実用新案登録請求の範囲
【補正対象項目名】全文
【補正方法】変更
【補正の内容】
【実用新案登録請求の範囲】
【請求項１】
対象物に配置された複数の発光装置を制御するための回路装置であって、
前記対象物に埋め込まれた防水筐体；
前記筐体内に取り付けられて、前記対象物の動きに応答してコントローラをトリガーするためのモーション起動スイッチ；
前記筐体内に取り付けられ、前記モーション起動スイッチに電気的に接続されるとともに、前記発光装置にも電気的にそれぞれ接続されて、前記モーション起動スイッチによってトリガーされた際に前記発光装置を駆動して所定の方法で点灯させるためのコントローラ；および
前記筐体内に取り付けられて、前記回路装置に電力を供給するためのバッテリ；
を備える回路装置において、
前記所定の方法は、前記発光装置が最初に別々に順に点灯したあとに、逆に点灯し、その後、同時にＮ回点滅するという方法であり、Ｎは自然数である、
回路装置。
【請求項２】
前記防水筐体は、前記モーション起動スイッチ、前記コントローラ、および前記バッテリを取り付けるために成形される、請求項１に記載の回路装置。
【請求項３】
前記発光装置は、少なくとも３つの発光ダイオードを備える、請求項１に記載の回路装置。
【請求項４】
前記コントローラは、正極、負極およびワンショットの電極を備え、前記正極は、各発光装置のアノードおよび所定の電圧源に電気的に接続し、前記負極はアースに連結し、前記ワンショットの電極は、各発光装置のカソードに連結し、ワンショットのボタンは、前記ワンショットの電極と前記負極との間に連結している、請求項１に記載の回路装置。
【請求項５】
前記コントローラは、複数のワイヤによって前記発光装置に電気的に接続し、前記複数のワイヤが貫通している前記筐体の部分は、樹脂またはプラスチック材料でシールされていることにより、前記回路装置は前記筐体がシームレスであるが故に酸化することがない、請求項１に記載の回路装置。
【請求項６】
対象物に配置された複数の発光装置を制御するための回路装置であって、
前記対象物に埋め込まれた防水筐体；
前記筐体内に取り付けられて、前記対象物の動きに応答してコントローラをトリガーするためのモーション起動スイッチ；
前記筐体内に取り付けられ、前記モーション起動スイッチに電気的に接続されるとともに、前記発光装置にも電気的にそれぞれ接続されて、前記モーション起動スイッチによってトリガーされた際に前記発光装置を駆動して所定の方法で点灯させるためのコントローラ；および
前記筐体内に取り付けられて、前記回路装置に電力を供給するためのバッテリ；
を備える回路装置において、
前記所定の方法は、前記発光装置が最初に別々に順に明るさを落としながら点灯したあと、同時にＮ回点滅するという方法であり、Ｎは自然数である、
回路装置。
【請求項７】
前記防水筐体は、前記モーション起動スイッチ、前記コントローラ、および前記バッテリを取り付けるために成形される、請求項６に記載の回路装置。
【請求項８】
前記発光装置は、少なくとも３つの発光ダイオードを備える、請求項７に記載の回路装置。
【請求項９】
前記コントローラは、正極、負極およびワンショットの電極を備え、前記正極は、各発光装置のアノードおよび所定の電圧源に電気的に接続し、前記負極はアースに連結し、前記ワンショットの電極は、各発光装置のカソードに連結し、ワンショットのボタンは、前記ワンショットの電極と前記負極との間に連結している、請求項６に記載の回路装置。
【請求項１０】
前記コントローラは、複数のワイヤによって前記発光装置に電気的に接続し、前記複数のワイヤが貫通している前記筐体の部分は、樹脂またはプラスチック材料でシールされていることにより、前記回路装置は前記筐体がシームレスであるが故に酸化することがない、請求項６に記載の回路装置。
【請求項１１】
対象物に配置された複数の発光装置を制御するための回路装置であって、
前記対象物に埋め込まれた防水筐体；
前記筐体内に取り付けられて、前記対象物の動きに応答してコントローラをトリガーするためのモーション起動スイッチ；
前記筐体内に取り付けられ、前記モーション起動スイッチに電気的に接続されるとともに、前記発光装置にも電気的にそれぞれ接続されて、前記モーション起動スイッチによってトリガーされた際に前記発光装置を駆動して所定の方法で点灯させるためのコントローラ；および
前記筐体内に取り付けられて、前記回路装置に電力を供給するためのバッテリ；
を備える回路装置において、
前記所定の方法は、前記発光装置が最初に別々に順に点灯したあと、同時にＮ回点滅するという方法であり、Ｎは自然数である、
回路装置。